(57)【特許請求の範囲】
【請求項１】
箱型状態から先に倒される相対する側壁と、箱型状態から後に倒される相対する側壁とを有する折り畳みコンテナーにおいて、前記箱型状態から先に倒される相対する側壁の外壁面の上部及び前記箱型状態から後に倒される相対する側壁の上部に、それぞれ、側壁の外壁面に形成されたリブより高いリブを形成することにより、側壁の上端水平リブに平行な上部帯状突出部が形成されており、また、後に倒される相対する側壁の側壁の内面には、横長の水平帯状凹部が形成されており、後に倒される相対する側壁のうち、先に倒される側壁に形成された上部帯状突出部が、後から倒される側壁に形成された水平帯状凹部に挿入されるように構成されていることを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、一例として、底部の高さの低い相対する長辺側土手部に、長側壁をヒンジ連結するとともに、底部の高さの高い相対する短辺側土手部に、短側壁をヒンジ連結した折り畳みコンテナーが知られており、箱型状態の折り畳みコンテナーを折り畳むには、先ず最初に、長側壁を、底部に重なるように倒し、次いで、短側壁を、底部に重ねられた長側壁の上に重ねるように倒すことにより、高さの低いコンパクトな状態に折り畳むことができるように構成されており、また、折り畳まれた状態の折り畳みコンテナーの略水平状の短側壁を、略垂直に立て、次いで、略水平状態の長側壁を、略垂直に立てることにより、箱型状態にすることができるように構成されている。
【０００３】
ところで、折り畳まれた際に、相対する側壁の先端部分が、互いに重なるように構成されている折り畳みコンテナーにおいて、互いに重なる先端部分の肉厚を薄くし、互いに重なる相対する側壁の折り畳み時における高さを低くすることにより、折り畳まれた状態における折り畳みコンテナーの高さを低くして、折り畳まれた状態の折り畳みコンテナーの収容効率を向上するようにした折り畳みコンテナーが、一例として、特許文献１に開示されている。
【０００４】
【特許文献１】特開２００１−３１５７７３号公報
【発明の開示】
【発明が解決しようとする課題】
【０００５】
上述した従来の折り畳みコンテナーにおいては、折り畳まれた際に、相対する側壁の先端部分の肉厚を薄くしたことにより、箱型に組み立てられた際には、箱型に組み立てられた折り畳みコンテナーの上端部分の強度や剛性が低下し、ひいては、箱型に組み立てられた折り畳みコンテナーの強度や剛性が不十分となるという問題があった。
【０００６】
また、近年、折り畳みコンテナーの軽量化や、折り畳み時における収容効率を上げるために、側壁を可能な限り薄くする試みがなされているが、このように、側壁を薄くした場合には、特に、上述した問題が顕著となる。
【０００７】
本発明の目的は、上述した従来の折り畳みコンテナーが有する課題を解決することにある。
【課題を解決するための手段】
【０００８】
本発明は、上述した目的を達成するために、箱型状態から先に倒される相対する側壁と、箱型状態から後に倒される相対する側壁とを有する折り畳みコンテナーにおいて、前記箱型状態から先に倒される相対する側壁の外壁面の上部及び前記箱型状態から後に倒される相対する側壁の上部に、それぞれ、側壁の外壁面に形成されたリブより高いリブを形成することにより、側壁の上端水平リブに平行な上部帯状突出部が形成されており、また、後に倒される相対する側壁の側壁の内面には、横長の水平帯状凹部が形成されており、後に倒される相対する側壁のうち、先に倒される側壁に形成された上部帯状突出部が、後から倒される側壁に形成された水平帯状凹部に挿入されるように構成したものである。
【発明の効果】
【０００９】
本発明は、上述した構成を有するので、以下に記載する効果を奏することができるものである。
【００１０】
箱型状態から先に倒される側壁の外壁面の上部及び箱型状態から後に倒される相対する側壁の上部に、それぞれ、上部帯状突出部を形成したので、側壁の強度や剛性、特に、側壁の上部の強度や剛性を高めることができるので、箱型に組み立てられた折り畳みコンテナーの変形や損傷を防止することができるとともに、側壁同士の係合状態が解除されるようなことを防止することができる。
【００１１】
少なくとも、箱型状態から後に倒される相対する側壁の上部が、互いに重なるように構成されているとともに、箱型状態から後に倒される相対する側壁の内面に、箱型状態から後に倒される相対する側壁の上部に形成された上部帯状突出部が挿入可能な水平帯状凹部を形成したので、折り畳まれた状態の折り畳みコンテナーの高さを低くすることができ、従って、折り畳まれた状態の折り畳みコンテナーの収容効率を高めることができる。
【００１２】
底部の嵌合部材に、箱型状態から後に倒される相対する側壁のうち、上に位置する側壁の上部に形成された上部帯状突出部が挿入可能な帯状凹部を形成したので、折り畳まれた状態の折り畳みコンテナーを段積みした際に、上に位置する折り畳まれた状態の折り畳みコンテナーの底部の裏面に形成された嵌合部材が、下に位置する折り畳まれた状態の折り畳みコンテナーの一番上に位置する側壁に形成された上部帯状突出部に当接し、上に位置する折り畳まれた状態の折り畳みコンテナーが、浮き上がるようなことがなく、従って、折り畳まれた状態の折り畳みコンテナーを段積み高さを低くすることができ、よって、折り畳まれた状態の折り畳みコンテナーの収容効率を高めることができる。
【実施例】
【００１３】
以下に、本発明の実施例について説明するが、本発明の趣旨を越えない限り、何ら、本実施例に限定されるものではない。
【００１４】
先ず最初に、図１〜図３を用いて、本発明の折り畳みコンテナーの全体構成について説明する。
【００１５】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、長辺側土手部１ａの高さは、短辺側土手部１ｂの高さより、高く形成されている。
【００１６】
２は、長側壁であり、長側壁２は、底部１の長辺側土手部１ａにヒンジ連結されている。また、３は、短側壁であり、短側壁３は、底部１の短側壁土手部１ｂにヒンジ連結されている。
【００１７】
長側壁２の横長の略長方形状の板状部２ａの両端部には、板状部２ａに対して略直角方向に延在する縦長の係合枠４が形成されており、係合枠４には、適当数の嵌合透孔４ａが穿設されている。また、係合枠４付近に位置する板状部２ａに、コの字状のスリット５を形成することにより、係合枠４側が自由端に形成された弾性舌片６が形成されており、弾性舌片６の先端部には、係合枠４と対向するように、係止凸部６ａが形成されている。
【００１８】
また、短側壁３の略方形状の板状部３ａの両端部には、板状部３ａを延長することにより、縦長の係合枠７が形成されており、係合枠７には、折り畳みコンテナーが箱型に組み立てられた際に、長側壁２の係合枠４に穿設された嵌合透孔４ａに嵌合可能な適当数の嵌合突起７ａが突設されている。
【００１９】
図３に示されているように、折り畳まれた状態から、図１に示されているように、箱型状態に組み立てるには、先ず最初に、略水平状態の長側壁２を、略垂直に立て、次いで、短側壁３を、垂直方向に回動させると、長側壁２の係合枠４に形成された嵌合透孔４ａへの短側壁３の係合枠７に突設された嵌合突起７ａの嵌合に前後して、短側壁３の係合枠７が、長側壁２に形成された弾性舌片６の係止凸部６ａに当接し、弾性舌片６を外側に変形させる。そして、短側壁３の係合枠７が、長側壁２に形成された弾性舌片６の係止凸部６ａを通過した時点で、短側壁３の係合枠７により外側に押されていた弾性舌片６が、その復元力により戻り、弾性舌片６の係止凸部６ａが、略垂直に立てられた短側壁３の係合枠７に当接して、短側壁３の底部１方向への回動を阻止するように構成されている。
【００２０】
また、箱型状態の折り畳みコンテナーを、折り畳むには、先ず最初に、長側壁２の弾性舌片６を、その係止凸部６ａが、短側壁３の係合枠７から外れるように、外側に押し、その後、短側壁３を底部１方向に回動させることにより、短側壁３の係合枠７に形成された嵌合突起７ａを、長側壁２の係合枠４に穿設された透孔４ａから排出させて、短側壁３を底部１の上に倒す。その後、略垂直な長側壁２を、底部１方向に倒すことにより、箱型に組み立てられた折り畳みコンテナーを折り畳むように構成されている。
【００２１】
なお、本実施例では、折り畳まれた状態においては、最初に底部方向に倒される短側壁３同士は、互いに重ならないように構成されているとともに、後から倒される長側壁２は、その上部が、互いに重なるように構成されている。
【００２２】
次に、図１、図２、図４〜図８を用いて、長側壁２のより具体的な構成について説明する。
【００２３】
長側壁２の板状部２ａの上端縁には、板状部２ａの外面（折り畳みコンテナーが箱型に組み立てられた際に、外側に位置する面）２ａ１から外側に略水平状に延在する上端水平リブ２ｂが形成されているとともに、板状部２ａの下端縁にも、同様に、下端水平リブ２ｃが形成されており、更に、板状部２ａの両端の垂直縁には、板状部２ａの外面２ａ１から外側に延在する垂直端リブ２ｄが形成されている。
【００２４】
また、垂直端リブ２ｄ付近に位置する板状部２ａの外面２ａ１には、１本或いは２本以上の適当数の端部側垂直リブ２ｅが形成されている。なお、本実施例には、各垂直端リブ２ｄに対して、３本ずつ、合計６本の端部側垂直リブ２ｅが形成されている例が示されている。更に、上端水平リブ２ｂの直ぐ下に位置する板状部２ａの外面２ａ１には、板状部２ａの中央寄りに位置する、相対する端部側垂直リブ２ｅ（以下、単に、相対する端部側垂直リブ２ｅと称する。）を連結する１本或いは２本以上の適当数の上部水平リブ２ｆが形成されている。なお、本実施例には、２本の上部水平リブ２ｆが形成されている例が示されている。
【００２５】
板状部２ａの外面２ａ１には、上述した端部側垂直リブ２ｅや上部水平リブ２ｆ以外にも、必要に応じて、垂直リブ２ｇや水平リブ２ｈを形成することができる。
【００２６】
上述したような構成を有する長側壁２においては、相対する端部側垂直リブ２ｅ間に位置する上端水平リブ２ｂの上端水平リブ部分２ｂ’の高さ（板状部２ａの外面２ａ１からの高さ、以下、同じ）、相対する端部側垂直リブ２ｅ間に位置する上部水平リブ２ｆの上部水平リブ部分２ｆ’の高さ、及び、上端水平リブ２ｂと所定の上部水平リブ２ｆ（本実施例においては、一番下に位置する上部水平リブ２ｆ）との間に位置する相対する端部側垂直リブ２ｅの端部側垂直リブ部分２ｅ’の高さが、略同じ高さに構成されているとともに、これらのリブ部分２ｂ’、２ｅ’、２ｆ’の高さが、他のリブ、即ち、相対する端部側垂直リブ２ｅ間に位置しない上端水平リブ部分２ｂ”、上端水平リブ２ｂと上部水平リブ２ｆとの間に位置しない端部側垂直リブ部分２ｅ”、下端水平リブ２ｃ、垂直端リブ２ｄ、垂直リブ２ｇ及び水平リブ２ｈ等の高さより高く構成されている。
【００２７】
上述した、相対する端部側垂直リブ２ｅ間に位置する上端水平リブ部分２ｂ’、相対する端部側垂直リブ２ｅ間に位置する上部水平リブ部分２ｆ’、及び、上端水平リブ２ｂと上部水平リブ２ｆとの間に位置する端部側垂直リブ部分２ｅ’以外の他のリブ、即ち、相対する端部側垂直リブ２ｅ間に位置しない上端水平リブ部分２ｂ”、上端水平リブ２ｂと上部水平リブ２ｆとの間に位置しない端部側垂直リ１部分２ｅ”、下端水平リブ２ｃ、垂直端リブ２ｄ、垂直リブ２ｇ及び水平リブ２ｈ等の高さは、全て同じ高さに形成されており、従って、これらリブの先端により形成される仮想面は、面一な平面に構成されている。以下、このような面一な仮想平面により形成される面一な面を、長側壁２の外壁面Ｆ１と称する。
【００２８】
上述したように、相対する端部側垂直リブ２ｅ間に位置する上端水平リブ部分２ｂ’の高さ、相対する端部側垂直リブ２ｅ間に位置する上部水平リブ部分２ｆ’の高さ、及び、上端水平リブ２ｂと上部水平リブ２ｆとの間に位置する端部側垂直リブ部分２ｅ’の高さを、他のリブの高さより高くすることにより、長側壁２の外壁面Ｆ１には、該外壁面Ｆ１から外側に延在する上部帯状突出部Ｐ１が形成されている。
【００２９】
長側壁２に、上述したような上部帯状突出部Ｐ１を形成することにより、箱型に組み立てられた折り畳みコンテナーの長側壁２の上部に外力が加わっても、長側壁２が長さ方向に、簡単には、湾曲変形するようなことがない。例えば、箱型に組み立てられた折り畳みコンテナーに物品を収納した際には、物品が、長側壁２の上部を、内側から押圧し、長側壁２が、長さ方向に外側に湾曲変形することになり、短側壁３の係合枠７と長側壁２の係合枠４とによる係合状態が解除されることがあるが、本発明においては、長側壁２には、上部帯状突出部Ｐ１が形成されているので、このような長側壁２の湾曲変形を防止することができるとともに、長側壁２の強度や剛性を高めることができる。。
【００３０】
長側壁２の板状部２ａの内面（折り畳みコンテナーが箱型に組み立てられた際に、内側に位置する面）２ａ２には、板状部２ａを、内面２ａ２側から外面２ａ１方向に膨出することにより、板状部２ａの略全幅に亘たって、横長の水平帯状凹部Ｗ１が形成されている。このように、長側壁２の板状部２ａの内面２ａ２に、水平帯状凹部Ｗ１を形成することにより、長側壁２の外面２ａ１には、帯状膨出部Ｓ１が形成されることになる。
【００３１】
箱型に組み立てられた折り畳みコンテナーを折り畳む際には、先ず最初に、相対する短側壁３の一方の短側壁３を、底部１に重なるように倒し、次いで、もう一方の短側壁３を、同じく、底部１に重なるように倒す。その後、相対する長側壁２の一方の長側壁２を、底部１に重ねられた短側壁３に重なるように倒し、次いで、もう一方の長側壁を、もう一方の長側壁の上部が、先に倒された一方の長側壁２の上部に重なるように倒すことになるが、この際、図７或いは図８に示されているように、先に倒された一方の長側壁２の外壁面Ｆ１から突出している上部帯状突出部Ｐ１が、後から倒されるもう一方の長側壁２の板状部２ａの内面２ａ２に形成された水平帯状凹部Ｗ１に挿入されるように構成されている。なお、図７と図８は、相対する長側壁２の一方の長側壁２を先に倒し、次いで、もう一方の長側壁２を倒すか、或いは、相対する長側壁２のもう一方の長側壁２を先に倒し、次いで、一方の長側壁２を倒すかだけが相違する図面である。
【００３２】
上述したように、相対する短側壁３に次いで、底部１方向に倒される長側壁２の外壁面Ｆ１には、上部帯状突出部Ｐ１を形成するとともに、長側壁２の内面２ａ２には、長側壁２同士が、その上部が互いに重なるように折り畳まれた際に、下に位置する長側壁２の外壁面Ｆ１に形成された上部帯状突出部Ｐ１が挿入可能な水平帯状凹部Ｗ１を形成したので、その上部が、互いに重なるように倒された２枚の長側壁２の重なり部分の高さを低くすることができ、従って、折り畳まれた状態の折り畳みコンテナーの高さを低くすることができる。
【００３３】
次に、図９及び図１０を用いて、短側壁３のより具体的な構成について説明する。
【００３４】
短側壁３の板状部３ａの上端縁には、板状部３ａの外面（折り畳みコンテナーが箱型に組み立てられた際に、外側に位置する面）３ａ１から外側に略水平状に延在する上端水平リブ３ｂが形成されているとともに、板状部３ａの下端縁にも、同様に、下端水平リブ３ｃが形成されており、更に、板状部３ａの両端の垂直縁には、板状部３ａの外面３ａ１から外側に延在する垂直端リブ３ｄが形成されている。
【００３５】
また、垂直端リブ３ｄ付近に位置する板状部３ａの外面３ａ１には、１本或いは２本以上の適当数の端部側垂直リブ３ｅが形成されている。なお、本実施例には、各垂直端リブ３ｄに対して、１本ずつ、合計２本の端部側垂直リブ３ｅが形成されている例が示されている。更に、上端水平リブ３ｂの直ぐ下に位置する板状部３ａの外面３ａ１には、相対する端部側垂直リブ３ｅを連結する、１本或いは２本以上の適当数の上部水平リブ３ｆが形成されている。なお、本実施例には、２本の上部水平リブ３ｆが形成されている例が示されている。
【００３６】
板状部３ａの外面３ａ１には、上述した端部側垂直リブ３ｅや上部水平リブ３ｆ以外にも、必要に応じて、垂直リブ３ｇや水平リブ３ｈを形成することができる。
【００３７】
上述したような構成を有する短側壁３においては、相対する端部側垂直リブ３ｅ間に位置する上端水平リブ３ｂの上端水平リブ部分３ｂ’の高さ（板状部３ａの外面３ａ１からの高さ、以下、同じ）、相対する端部側垂直リブ３ｅ間に位置する上部水平リブ３ｆの上部水平リブ部分３ｆ’の高さ、及び、上端水平リブ３ｂと所定の上部水平リブ３ｆ（本実施例においては、一番下に位置する上部水平リブ３ｆ）との間に位置する端部側垂直リブ３ｅの端部側垂直リブ部分３ｅ’の高さが、略同じ高さに構成されているとともに、他のリブ、即ち、相対する端部側垂直リブ３ｅ間に位置しない上端水平リブ３ｂの上端水平リブ部分３ｂ”、上端水平リブ３ｂと所定の上部水平リブ３ｆとの間に位置しない端部側垂直リブ３ｅの端部側垂直リブ部分３ｅ”、下端水平リブ３ｃ、垂直端リブ３ｄ、垂直リブ３ｇ及び水平リブ３ｈ等の高さより高く構成されている。
【００３８】
上述した他のリブ、即ち、相対する端部側垂直リブ３ｅ間に位置しない上端水平リブ部分３ｂ”、上端水平リブ３ｂと所定の上部水平リブ３ｆとの間に位置しない端部側垂直リブ部分３ｅ”、下端水平リブ３ｃ、垂直端リブ３ｄ、垂直リブ３ｇ及び水平リブ３ｈ等の高さは、全て同じ高さに形成されており、従って、これらリブの先端により形成される仮想面は、上述した長側壁の外側面Ｆ１と同様に、面一な仮想平面として形成されている。
【００３９】
上述したように、相対する端部側垂直リブ３ｅ間に位置する上端水平リブ部分３ｂ’の高さ、相対する端部側垂直リブ３ｅ間に位置する上部水平リブ部分３ｆ’の高さ、及び、上端水平リブ３ｂと所定の上部水平リブ３ｆとの間に位置する端部側垂直リブ部分３ｅ’の高さを、他のリブの高さより高くすることにより、短側壁３の外壁面には、上述した長側壁２の外壁面Ｆ１に形成された上部帯状突出部Ｐ１と同様の、短側壁１の外壁面から外側に延在する上部帯状突出部Ｐ２が形成されている。
【００４０】
短側壁３に、上述したような上部帯状突出部Ｐ２を形成することにより、箱型に組み立てられた折り畳みコンテナーの短側壁３の上部に外力が加わっても、短側壁３が長さ方向に、簡単には、湾曲変形するようなことがない。例えば、箱型に組み立てられた折り畳みコンテナーに物品を収納した際には、物品が、短側壁３の上部を、内側から押圧し、短側壁３が、長さ方向に外側に湾曲変形することになり、短側壁３の係合枠７と長側壁２の係合枠４とによる係合状態が解除されることがあるが、本発明においては、短側壁３には、上部帯状突出部Ｐ２が形成されているので、このような短側壁３の湾曲変形を防止することができるとともに、短側壁３の強度や剛性を高めることができる。。
【００４１】
次に、図３、図１１及び図１２を用いて、底部１のより具体的な構成について説明する。
【００４２】
図３に示されているように、底部１の長辺側土手部１ａの両端には、短辺側土手部１ｂ方向に延在する、長辺側土手部１ａと同じ高さを有する短辺側延長土手部１ｃが形成されており、長辺側土手部１ａの両端部と短辺側延長土手部１ｃとにより、平面形状が、略Ｌ字状の嵌合台座１ｄが形成されている。
【００４３】
底部１の裏面には、裏面の周辺より、若干、内側に位置する嵌合部材１’が形成されており、嵌合部材１’には、相対する長壁部１ｅ１と相対する短壁部１ｅ２とからなる周壁１ｅが形成されている。また、周壁１ｅ内には、長壁部１ｅ１に平行な長リブ１ｅ３が多数形成されているとともに、短壁部１ｅ２に平行な短リブ１ｅ４が多数形成されている。
【００４４】
下に位置する折り畳まれた状態の折り畳みコンテナーに、同じく、折り畳まれた状態の折り畳みコンテナーを段積みした際には、下に位置する折り畳まれた状態の折り畳みコンテナーの底部１の４つの角部に形成された、平面形状が略Ｌ字状の嵌合台座１ｄに、上に位置する折り畳まれた状態の折り畳みコンテナーの底部１の裏面に形成された嵌合部材１’が嵌合されるように構成されており、従って、下に位置する折り畳まれた状態の折り畳みコンテナーに対する上に位置する折り畳まれた状態の折り畳みコンテナーの水平移動が抑制され、よって、多数の折り畳まれた状態の折り畳みコンテナーが、安定した状態で段積みすることができるように構成されている。
【００４５】
折り畳まれた状態の折り畳みコンテナーを段積みした際には、上に位置する折り畳まれた状態の折り畳みコンテナーの底部１の裏面に形成された嵌合部材１’が、下に位置する折り畳まれた状態の折り畳みコンテナーの一番上に位置する長側壁２に形成された上部帯状突出部Ｐ１に当接することになる。そこで、本実施例においては、底部１の裏面に形成された嵌合部材１’には、多数の長リブ１ｅ３及び短リブ１ｅ４のうち、複数本を、図１１に示されているように、削除するなり、或いは、図１２に示されているように、長リブ１ｅ３の高さ（底部１の裏面からの高さ）及び短リブ１ｅ４の高さ（底部１の裏面からの高さ）を低く形成することにより、嵌合部材１’には、長リブ１ｅ３に沿って、上部帯状突出部Ｐ１の長さ以上の長さを有する帯状凹部Ｂ１が、所定の間隔をおいて、２条形成されている。
【００４６】
そして、折り畳まれた状態の折り畳みコンテナーを段積みした際には、上に位置する折り畳まれた状態の折り畳みコンテナーの底部１の裏面に形成された嵌合部材１’に形成された２条の帯状凹部Ｂ１のうち、一方の帯状凹部Ｂ１に、下に位置する折り畳まれた状態の折り畳みコンテナーの一対の長側壁２のうち、上に位置する長側壁２に形成された上部帯状突出部Ｐ１が挿入されるように構成されている。従って、上に位置する折り畳まれた状態の折り畳みコンテナーの底部１の裏面に形成された嵌合部材１’が、下に位置する折り畳まれた状態の折り畳みコンテナーの一対の長側壁２のうち、上に位置する長側壁２に形成された上部帯状突出部Ｐ１に当接し、上に位置する折り畳まれた状態の折り畳みコンテナーが、浮き上がるようなことがなく、従って、折り畳まれた状態の折り畳みコンテナーの段積み高さを低くすることができ、よって、折り畳まれた状態の折り畳みコンテナーの収容効率を高めることができる。
【００４７】
上述したように、長側壁２の外壁面Ｆ１に、上部帯状突出部Ｐ１を形成するとともに、短側壁３の外壁面に、上部帯状突出部Ｐ２を形成したので、長側壁２及び短側壁３の強度や剛性、特に、長側壁２及び短側壁３の上部の強度や剛性を高めることができ、従って、箱型に組み立てられた折り畳みコンテナーの変形や損傷を防止することができるとともに、短側壁３の係合枠７と長側壁２の係合枠４とによる係合状態が解除されるようなことを防止することができる。
【００４８】
短側壁３の係合枠７と長側壁２の係合枠４とによる係合手段に代えて、或いは、短側壁３の係合枠７と長側壁２の係合枠４とによる係合手段に加えて、箱型に組み立てられた状態から先に倒される短側壁３に、短側壁３と長側壁２をロックするためのロック部材を配設することが、周知であるが、このようなロック部材を配設した場合にも、上述したように、長側壁２の外壁面Ｆ１に、上部帯状突出部Ｐ１を形成するとともに、短側壁３の外壁面に、上部帯状突出部Ｐ２を形成したことにより、箱型に組み立てられた折り畳みコンテナーの変形を防止することができるので、ロック部材による短側壁３と長側壁２との係合状態が解除されるようなことを防止することができる。
【００４９】
上述した実施例において、底部１の裏面に形成された嵌合部材１’に、上部帯状突出部Ｐ１が挿入可能なる帯状凹部Ｂ１を、所定の間隔をおいて、２条形成したのは、図７及び図８に示されているように、略垂直状態の相対する長側壁２のうち、一方の長側壁２を先に倒し、次いで、もう一方の長側壁２を倒して場合と、もう一方の長側壁２を先に倒し、次いで、一方の長側壁２を倒した場合とでは、一対の長側壁２のうち、上に位置する長側壁２に形成された上部帯状突出部Ｐ１の位置が異なるので、どちらの長側壁２を先に倒しても、帯状凹部Ｂ１に、上部帯状突出部Ｐ１が挿入されるように構成したためである。
【００５０】
本実施例では、折り畳まれた状態においては、最初に底部１方向に倒される一対の短側壁３同士は、互いに重ならないように構成されている。このような折り畳みコンテナーにおいて、底部１に重なるように倒された短側壁３の上面（外壁面）に、上部帯状突出部Ｐ２が形成されている場合には、先に倒された一対の短側壁３に次いで倒される一対の長側壁２のうち、最初に倒される長側壁２の板状部板状部２ａの内面２ａ２が、底部１に重なるように倒された短側壁３の上面（外壁面）に形成された上部帯状突出部Ｐ２に当接することになる。そこで、図１３に示されているように、長側壁２の板状部２ａの内面２ａ２には、底部１に重なるように倒された短側壁３の上面（外壁面）に形成された上部帯状突出部Ｐ２が挿入可能な縦長の垂直帯状凹部Ｗ２が、２条、長側壁２の板状部２ａの内面２ａ２に形成された水平帯状凹部Ｗ１と略直交するように形成されている。
【００５１】
上述したように、長側壁２の板状部板状部２ａの内面２ａ２には、水平帯状凹部Ｗ１と略直交する垂直帯状凹部Ｗ２が形成されており、先に倒された一対の短側壁３に形成された上部帯状突出部Ｐ２が、先に倒された一対の短側壁３に次いで倒される一対の長側壁２のうち、最初に倒される長側壁２の板状部２ａの内面２ａ２に形成された垂直帯状凹部Ｗ２に挿入されるように構成されているので、略水平状態に倒された一対の短側壁３と略水平状態に倒された一対の長側壁２との全体の高さを低くすることができ、従って、折り畳まれた状態の折り畳みコンテナーの高さを低くすることができ、よって、折り畳まれた状態の折り畳みコンテナーの収容効率を高めることができる。
【００５２】
次に、図１４〜図１７を用いて、別の実施例について説明する。
【００５３】
この実施例においては、箱型に組み立てられた状態から、先に倒される短側壁３の上部も、上述した実施例における長側壁２と同様に、互いに重なるように構成されているものである。
【００５４】
このように、先に倒される短側壁３の上部が、互いに重なるように構成されている場合には、上述した実施例における長側壁２と同様に、短側壁３の板状部３ａを、内面３ａ２側から外面３ａ１方向に膨出することにより、図１４に示されているように、板状部３ａの板状部３ａの内面３ａ２にも、横長の水平帯状凹部Ｗ３が形成されている。
【００５５】
また、長側壁２の板状部２ａの内面２ａ２には、図１３に示されていると同様に、１条の水平帯状凹部Ｗ１と２条の垂直帯状凹部Ｗ２が形成されている。
【００５６】
箱型に組み立てられた状態から、相対する短側壁３の一方を、底部１に重なるように倒し、次いで、もう一方の短側壁３を、その上部が、先に倒された一方の短側壁３の上部に重なるように倒すことになるが、この際、先に倒された一方の短側壁３の外壁面から突出している上部帯状突出部Ｐ２が、後から倒されるもう一方の短側壁３の板状部３ａの内面３ａ２に形成された水平帯状凹部Ｗ３に挿入されるように構成されている。従って、その上部が、互いに重なるように倒された一対の短側壁３の重なり部分の高さを低くすることができ、従って、折り畳まれた状態の折り畳みコンテナーの高さを低くすることができる。
【００５７】
その後、相対する長側壁２のうち、一方の長側壁２を、先に倒すことになるが、相対する短側壁３のうち、後から倒された短側壁３の上面（外側面）に形成された上部帯状突出部Ｐ２が、先に倒される長側壁２の板状部２ａの内面２ａ２に形成された２条の垂直帯状凹部Ｗ２のうち、何方か一方の垂直帯状凹部Ｗ２に挿入されることになる。その後、相対する長側壁２のうち、もう一方の長側壁２を、先に倒された一方の長側壁２に重なるように倒した際には、先に倒された一方の長側壁２の上面（外側面Ｆ１）に形成された上部帯状突出部Ｐ１が、後から倒されるもう一方の長側壁２の板状部２ａの内面２ａ２に形成された水平帯状凹部Ｗ１に挿入されるように構成されている。
【００５８】
上述したように構成することにより、折り畳まれた状態の折り畳みコンテナーの高さを低くすることができる。
【００５９】
また、上述したような構成は、箱型に組み立てられた状態から先に倒される短側壁３が、互いに重ならないように構成されているとともに、後から倒される長側壁２も、互いに重ならないように構成されている折り畳みコンテナーに適用することもできる。このような折り畳みコンテナーの場合には、長側壁２に、上述したような水平帯状凹部Ｗ１を形成する必要はなく、また、短側壁３に、上述したような水平帯状凹部Ｗ３を形成する必要はない。
【００６０】
上述した折り畳みコンテナーにおいては、先に底部１方向に倒される短側壁３に次いで、底部１方向に倒される長側壁２も、互いに重ならないように、略水平状態に倒されることになるので、一対の長側壁２の外壁面Ｆ１に形成された上部帯状突出部Ｐ１が、互いに平行して配置されることになる。従って、底部１の裏面に形成された嵌合部材１’には、倒された状態の一対の長側壁２の外壁面に形成された一対の上部帯状突出部Ｐ１が挿入可能な帯状凹部Ｂ１が、２条形成されることになる。
【００６１】
このように構成することにより、折り畳まれた状態の折り畳みコンテナーの段積み高さを低くすることができ、よって、折り畳まれた状態の折り畳みコンテナーの収容効率を高めることができる。
【００６２】
なお、上述したように、底部１の裏面に形成された嵌合部材１’に、帯状凹部Ｂ１を形成した場合には、底部１の強度や剛性が低下するので、帯状凹部Ｂ１付近の嵌合部材１’を構成する長リブ１ｅ３のピッチの間隔、及び／又は、短リブ１ｅ４のピッチの間隔を、図１１及び図１２に示されているように、狭くすることが好ましい。このような、帯状凹部Ｂ１付近の嵌合部材１’を構成する長リブ１ｅ３のピッチの間隔、及び／又は、短リブ１ｅ４のピッチの間隔が狭く形成されている領域が、図１１及び図１２に、符号Ａ１として示されている。
【００６３】
なお、上述したような構成を有する折り畳みコンテナーを、大箱と小箱との関係に適用することができる。例えば、折り畳まれた状態の大箱に、複数の折り畳まれた状態の小箱を並設して段積みすることが行われるが、このような場合には、下に位置する折り畳まれた状態の大箱の長側壁２に形成された上部帯状突出部Ｐ１の位置が、上に位置する折り畳まれた状態の小箱の底部１に形成された帯状凹部Ｂ１に挿入できるように、上部帯状突出部Ｐ１と帯状凹部Ｂ１との位置を、適宜、設定することになる。
【図面の簡単な説明】
【００６４】
【図１】図１は、箱型状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成する長側壁の部分斜視図である。
【図５】図５は、同じく、本発明の折り畳みコンテナーを構成する長側壁の部分斜視図である。
【図６】図６は、本発明の折り畳みコンテナーを構成する長側壁の底部の短辺側土手部に沿った垂直断面図である。
【図７】図７は、本発明の折り畳みコンテナーが折り畳まれた状態の底部の短辺側土手部に沿った垂直断面図である。
【図８】図８は、同じく、本発明の折り畳みコンテナーが折り畳まれた状態の底部の短辺側土手部に沿った垂直断面図である。
【図９】図９は、本発明の折り畳みコンテナーを構成する短側壁の部分斜視図である。
【図１０】図１０は、同じく、本発明の折り畳みコンテナーを構成する短側壁の部分斜視図である。
【図１１】図１１は、本発明の折り畳みコンテナーを構成する底部の裏面斜視図である。
【図１２】図１２は、本発明の折り畳みコンテナーを構成する底部の部分裏面斜視図である。
【図１３】図１３は、本発明の別の実施例の折り畳みコンテナーの組み立て途中或いは折り畳み途中の斜視図である。
【図１４】図１４は、本発明の別の実施例の折り畳みコンテナーの短側壁の部分斜視図である。
【図１５】図１５は、本発明の更に別の実施例の折り畳みコンテナーが箱型に組み立てられた状態の斜視図である。
【図１６】図１６は、図１５に示されている折り畳みコンテナーの組み立て途中或いは折り畳み途中の斜視図である。
【図１７】図１７は、図１５に示されている折り畳みコンテナーの折り畳まれた状態の斜視図である。
【符号の説明】
【００６５】
Ｂ１・・・・・・・・・・・帯状凹部
Ｐ１、Ｐ２・・・・・・・・上部帯状突出部
Ｗ１、Ｗ３・・・・・・・・水平帯状凹部
Ｗ２・・・・・・・・・・・垂直帯状凹部
１・・・・・・・・・・・・底部
１ａ・・・・・・・・・・・長辺側土手部
１ｂ・・・・・・・・・・・短辺側土手部
２・・・・・・・・・・・・長側壁
３・・・・・・・・・・・・短側壁
【図１】
0004934539.tif 000002
【図２】
0004934539.tif 000003
【図３】
0004934539.tif 000004
【図４】
0004934539.tif 000005
【図５】
0004934539.tif 000006
【図６】
0004934539.tif 000007
【図７】
0004934539.tif 000008
【図８】
0004934539.tif 000009
【図９】
0004934539.tif 000010
【図１０】
0004934539.tif 000011
【図１１】
0004934539.tif 000012
【図１２】
0004934539.tif 000013
【図１３】
0004934539.tif 000014
【図１４】
0004934539.tif 000015
【図１５】
0004934539.tif 000016
【図１６】
0004934539.tif 000017
【図１７】
0004934539.tif 000018